(57)【要約】【課題】外部装置などによって編集された電子化名刺データを対応する電子装置に伝送することができるデジタル伝送装置を提供する。【解決手段】  デジタル伝送装置を、少なくとも表示装置を備えたメインボディと、メインボディに結合したコントローラ２、ディスプレイユニット３及び記録媒体４から構成する。コントローラにはメインボディに対する入力ユニット及び伝送ユニットを含む。コントローラは、入力ユニットの指令を制御して、デジタルデータ（文字、イラスト、イメージなど）を伝送ユニット２２に受信或いは伝送し、受信したデジタル電子化データを記録媒体に保存し、及び／或いはデジタルデータを外部電子装置に伝送する。【選択図】  図２
2005141701.tif 000002
【特許請求の範囲】
【請求項１】
外部装置などによって編集された電子化名名刺データのデジタル伝送装置であって、
少なくともメインボディ及びメインボディに結合するコントローラ、ディスプレイユニット及び記録媒体から成り、
そのコントローラは入力ユニットと伝送ユニットを含み、コントローラにより入力ユニットの実行指令を制御して、伝送ユニットにデジタル名刺データ（文字、イメージ、画像など）を受信或いは伝送動作をさせ、受信したデジタル名刺データをコントローラを通じて記録媒体に保存し、及び／或いはデジタル名刺データを対応する外部電子装置に伝送するようにしてなることを特徴とするデジタル伝送装置。
【請求項２】
メインボディ上にトランスミッタ／レシーバ部とコネクタ部を設けると共に、メインボディの適当なエリアに、コントローラに連結するディスプレイユニットを設置してなることを特徴とする請求項１記載のデジタル伝送装置。
【請求項３】
メインボディのディスプレイユニットに近接する箇所に操作部を設け、操作部は少なくとも受信／発信キー、方向キーを含むようにしてなることを特徴とする請求項２記載のデジタル伝送装置。
【請求項４】
伝送ユニットはメインボディのトランスミッタ／レシーバ部に連結し、ワイヤレス（赤外線、ブルートゥース、高周波など）の伝送方法で外部装置と相互にアクセスするようにしてなることを特徴とする請求項1記載のデジタル伝送装置。
【請求項５】
伝送ユニットはメインボディのコネクタ部に連結して、ケーブル（ＵＳＢ、ＩＥＥＥ１３９４、ＰＣＭＣＩＡ、シリアルＡＴＡ、ＩＤＥ、及びその他小型記憶カードインタフェイス）の伝送方法で外部装置と相互にアクセスするようにしてなることを特徴とする請求項1記載のデジタル伝送装置。
【請求項６】
記録媒体は、プログラム、文字及びイメージなどの保存に用い、
記録媒体は、内蔵式のフラッシュ記憶体、及び／或いは外部の保存媒体（サムドライブ、光ディスク、ハードディスクなど）とすることを特徴とする請求項１記載のデジタル伝送装置。
【請求項７】
コントローラ内に圧縮／解凍ユニットを設け、データを伝送過程で先に圧縮し、その伝送データの用量を大幅に縮減することにより伝送の時間を短縮し、
圧縮電子データを受信した後、解凍ユニットで圧縮された電子データを復元してから記録媒体に保存するようにしてなることを特徴とする請求項１記載のデジタル伝送装置。
【請求項８】
メインボディ上にコントローラに連結する画像取得手段を配置し、画像取得手段はＣＣＤ或いはＣＭＯＳを用いてなるものであり、画像（相手方の頭部写真或いはスナップ）を取得してその名刺データに合せて記録媒体に収録してなることを特徴とする請求項１記載のデジタル伝送装置。
【請求項９】
ディスプレイユニットはトラックパッドであり、操作部の入力機能に代えて、使用者が物体（指、ライトペンなど）でパッドにタッチしてデータ入力或いは操作の実行を行えるようにしてなることを特徴とする請求項１記載のデジタル伝送装置。
【請求項１０】
コネクタ部は外部の拡張装置と連結できるようにしてなることを特徴とする請求項１記載のデジタル伝送装置。
【発明の詳細な説明】
【技術分野】
【０００１】
本発明はデジタル伝送装置に関し、特にデジタル電子化した名刺データをワイヤレス及び／或いはケーブル方法で対応する電子装置に伝送できるように設計したデジタル伝送装置に関する。
【背景技術】
【０００２】
公知の名刺交換による情報伝達は、現代の相互人間関係において欠かすことのできない方法そしてデータ流通であるが、旧来の名刺は大部分が紙や樹脂などの材質でできており、その表面に個人の連絡データを印刷して身分を表していた。しかし紙や樹脂などの材質であるため、環境保護の問題をかかえており、また名刺は年月を追って蓄積量が増大し、使用者が保管したり探したりする上で不便を生じる。外出先で必要な時に名刺のデータを探し出せるように、大量の収集名刺を携帯するなど、不便な上、交換した名刺の内容は随時変わるため、名刺が重複しやすく、管理分類上も問題がある。
【０００３】
以上の問題の解決のため、通常は電子手帳やＰＤＡ（Ｐｅｒｓｏｎａｌ  Ｄｉｇｉｔａｌ  Ａｓｓｉｓｔａｎｔｓ）を利用して簡単なデータ管理を行って、上述の名刺管理及び携帯に伴う各種不便を解決する。電子手帳やＰＤＡはこういった目的を果たすが、入力管理時には使用者が名刺交換後に名刺上のデータ内容を一字一字手作業で入力するしかなく、効果的且つ簡便に名刺上のデータを編集することはできず、その上入力データは文字データの保存だけで画像データ（相手方の会社ロゴ、個人の写真など）は入力できないため、探しやすい特徴が無いという問題がある。
【０００４】
そのため名刺スキャン装置を提供している業者もあり、名刺専用のスキャン装置をケーブル方法でコンピュータに連結し、コンピュータにスキャン認識ソフトを搭載して名詞データをスキャン認識ソフトで認識してデジタル方式でコンピュータに存在させるようにしている。そして電子手帳やＰＤＡの保存データをケーブル経由でコンピュータマザーボードに転送して、スキャン認識後のデジタル名刺データをダウンロードする。しかし手動でいちいち入力したりスキャンしたりして得られたデジタル名刺データは、個人の電子手帳やＰＤＡに存在できるだけで、他の人とデータの直接伝達はできないため、実際の使用にはやはり問題が残る。
【発明の開示】
【発明が解決しようとする課題】
【０００５】
上記欠点を解決し、スピーディ且つ簡便に名刺を交換できるデジタル伝送装置を提供し、ワイヤレス或いはケーブル伝送により電子名刺を交換し、使用者が自分で名刺を入力する煩雑な作業を解消することを課題とする。
【課題を解決するための手段】
【０００６】
本発明はデジタル伝送装置を提供する。デジタル伝送装置はメインボディと、メインボディ内に結合するコントローラ、ディスプレイユニット及び記録媒体により構成する。コントローラは操作ユニットと伝送ユニットを含むことができ、コントローラは操作ユニットの入力指令を主導し、伝送ユニットにデジタルデータ（文字、イメージ、画像など）を受信或いは伝送するか否かさせ、受信したデジタルデータを記録媒体に保存し、及び／或いはデジタルデータを外部電子装置に伝送し、ディスプレイユニットにデジタルデータを表示させられるようにする。
【０００７】
また、適当な位置にコネクタ部に電気的に接続して伝送ユニットを少なくとも一つ配置でき、伝送インタフェイスはＵＳＢ、ＩＥＥＥ１３９４、ＰＣＭＣＩＡ、シリアルＡＴＡ、ＩＤＥ或いはその他ケーブルの伝送インタフェイスとすることができる。これにより伝送インタフェイスを多元使用できる。
更に、本発明のメインボディの適当な位置にトランスミッタ／レシーバ部に電気的接続して伝送ユニットを少なくとも一つ配置でき、ワイヤレス伝送インタフェイスは、赤外線、ブルートゥース、高周波或いはその他ワイヤレス伝送の伝送インタフェイスとすることができ、携帯時に伝送インタフェイスの使用が簡便になる。
【発明の効果】
【０００８】
公知の欠点が解決され、スピーディ且つ簡便に名刺交換でき、ワイヤレス或いはケーブル伝送の方法で電子名刺を交換できる。
【発明を実施するための最良の形態】
【０００９】
図１、２に示すように、本発明は少なくともメインボディ１及びメインボディ１上に結合してコントローラ２、ディスプレイユニット３及び記録媒体４から構成する。メインボディ１は超薄型軽量コンセプトの設計とし、携帯の便を図ると良い。
メインボディ１上にトランスミッタ／レシーバ部１１とコネクタ部１２を設け、メインボディ１の適当なエリアにディスプレイユニット３を構成し、ディスプレイユニット３はコントローラ２に連結してデータを表示する。メインボディ１のディスプレイユニット３に近接する箇所に操作部１３を設け、操作部１３は少なくとも受信／発信キー１３１、方向キー１３２などを含む。
【００１０】
コントローラ２はメインボディ１内に結合して、操作部１３の指令実行を受信、処理する。コントローラ２は操作ユニット２１と伝送ユニット２２を含み、操作ユニット２１はプログラムにより使用者の入力動作を判断でき、入力された指令に基づきコントローラ２に対応する動作をさせる。伝送ユニット２２はトランスミッタ／レシーバ部１１と連結してワイヤレス（赤外線、ブルートゥース、高周波など）、及び／或いはコネクタ部１２に連結してケーブル（ＵＳＢ、ＩＥＥＥ１３９４、ＰＣＭＣＩＡ、シリアルＡＴＡ、ＩＤＥ、及びその他小型記憶カードインタフェイス）の伝送方法で外部装置（コンピュータ、ＰＤＡ、携帯電話、及び或いはその他携帯電子装置）と相互のアクセスを行い、伝送信号を受け取るとコントローラ２は信号を記録媒体４内に保存し、信号をディスプレイユニット３上にディスプレイし、或いは記録媒体４内に保存したデータを操作部１３の操作を通じて伝送ユニット２２から外部保存手段に伝送する。
記録媒体４はプログラム、文字及びイメージなどの資料を保存する。記録媒体は内臓式のフラッシュメモリとすることができ、及び／或いは外部の保存媒体（サムドライブ、光ディスク、ハードディスクなど）とすることができる。
【００１１】
本発明は、外部装置が編集を完了した電子化名刺データを、伝送ユニット２２でメインボディ１に入力すると、コントローラ２を経て電子化した名刺データを記録媒体４内に名刺管理応用に便利なように保存できる。他人とお互いの名刺を交換したい場合には、両者はメインボディ１上の受信／送信キー１３１で発信と受信を制御するだけで、デジタル電子化した名刺データが伝送ユニット２２を通じて（携帯応用の便を考え、本発明の伝送ユニット２２をここでは赤外線、ブルートゥース、高周波などのワイヤレス伝送方法を採る）、相互に相手方の電子装置或いは同等のデジタル伝送装置に伝送でき、ディスプレイユニット３に相手方の名刺データを表示するとともにデータを保存できる。これにより電子化名刺データの交換動作が完了する。
【００１２】
本発明の実際の利用では、コントローラ２内に圧縮／解凍ユニット２３を設けることができる。データの伝送過程で予め圧縮して伝送データの用量を大幅に縮減することにより、伝送の時間を短縮する。圧縮電子データを受信後、解凍ユニット２３で圧縮された電子データを解凍復元し、記録媒体４に保存する。
【００１３】
本発明は、メインボディ１内にコントローラ２に連結して画像取得手段（図示なし）を配置できる。画像取得手段はＣＣＤ或いはＣＭＯＳとすることができ、取得画像（相手方の頭部写真やスナップ）を名刺データに合わせて記録媒体４に収録する。これらの画像をディスプレイユニットで表示してスクリーニングすることによってその特徴から識別することが出来るため、探す時間を短縮できるので、探している電子名刺データをスピーディに見つけることができる。
【００１４】
また、本発明のディスプレイユニット３をトラックパッドに設計して、操作部の入力機能に代えることができる。使用者は物体（指、ライトペンなど）でパッドにタッチしてデータ入力や操作実行を行う。
更に、本発明のデジタル伝送装置はそのワイヤレス伝送機能を入室識別や電子財布に応用できる。赤外線やブルートゥースなどの伝送ワイヤレス信号を管制レシーバへ発信し、身分を照合して間違いなければ、照合後の信号をデジタル伝送装置に送ることで、名刺管理と入室識別或いは電子財布などの機能を一つに統合できる。
【００１５】
また、本発明のデジタル伝送装置は、伝送ユニット２２を拡張装置（図示なし）に連結し、その拡張装置を入力装置（キーボードやその他拡張装置）とすることで、他の入力編集ができるようになる。
【図面の簡単な説明】
【００１６】
【図１】本発明のデジタル伝送装置の立体略図である。
【図２】本発明のメインボディに結合するコントローラ、ディスプレイユニット及び記録媒体。
【符号の説明】
【００１７】
１    メインボディ
１１  トランスミッタ／レシーバ部
１２  コネクタ部
１３  操作部
１３１      発信／受信キー
１３２      方向キー
２    コントローラ
２１  操作ユニット
２２  伝送ユニット
２３  圧縮／解凍ユニット
３    ディスプレイユニット
４    記録媒体
【図１】
2005141701.tif 000003
【図２】
2005141701.tif 000004